(57)【特許請求の範囲】
【請求項１】
底板と、左右側板と、天板と、奥板を一体に有し、掃入れ口が開口する本体と、掃入れ口を覆うと共に左右両側にアーム部を有し、該アーム部が本体側板に回動自在に連結された門形の蓋と、該蓋に固定されると共に一定長さ上方へと延び、上端部にＬ字形に折れ曲がるグリップを有するハンドルとを備え、ハンドルを吊り下げた時には、本体は掃入れ口を上側にした垂下姿勢となって蓋により掃入れ口が覆われ、本体を床面等に置いた時には、本体は底板が床面等に沿う倒伏姿勢となって掃入れ口が開口するようになっており、本体が倒伏姿勢の時に、蓋の端縁が本体に当接することによりハンドルを所定角度の後傾姿勢で係止するようにし、倒伏姿勢の本体によってハンドルが後傾姿勢で係止されている時に、グリップの上側面が水平姿勢かあるいはやや後上がり傾斜姿勢となるように、ハンドル軸芯線に対するグリップの折曲角度を設定していることを特徴とする蓋付きちり取り。
【請求項２】
請求項１記載の蓋付きちり取りにおいて、倒伏姿勢の本体によって蓋が係止されている時のハンドルの後傾角度が、水平面に対して８０°〜８８°になるようにしていることを特徴とする蓋付きちり取り。
【請求項３】
請求項１又は２記載の蓋付きちり取りにおいて、グリップの下側面の根元側部分を、ハンドルの軸芯線に対して概ね直角に形成し、ハンドル吊り下げ時に上記下側面の根本側部分が概ね水平になるようにしていることを特徴とする蓋付きちり取り。
【請求項４】
請求項１〜３のいずれかに記載の蓋付きちり取りにおいて、蓋のアーム部の内面に、柔軟性を有する緩衝部材を固着し、本体が垂下姿勢の時に緩衝部材に本体の側板が接触して本体を静止するようにしていることを特徴とする蓋付きちり取り。
【発明の詳細な説明】
【０００１】
【発明の属する技術分野】
この発明は、持ち歩いたり片付けたりする時には、本体が垂下姿勢となるようにハンドルを吊り下げた状態とし、一方、掃入れ作業をする時には本体を倒伏姿勢に回動して、底板を床面に設置すると共に掃入れ口を開口し、作業者が立った状態で掃入れ作業を行うことができる蓋付きのちり取りに関する。
【０００２】
【従来の技術】
図７はこの種ちり取りの従来例を示しており、前面に掃入れ口４５が開口する本体４２と、該本体４２を左右に跨ぐと共に本体４２の側板に支持ピン５０を介して回動自在に連結されたコの字の回動金具４３と、該回動金具４３に固定されて上方に延びると共に上端部にＬ字形のグリップ４８を有するハンドル４４と、回動金具４３の途中にピン５１を介して回動自在に支持された蓋４６とから構成されている。グリップ４８はハンドル４４の軸芯線に対して直角に後方へと折れ曲がっている。
【０００３】
図６はハンドル４４を吊り下げた状態を示しており、本体４２は掃入れ口４５を上側にした垂下姿勢となり、蓋４６により掃入れ口４５を覆っている。
【０００４】
図７は作業時の状態を示しており、本体４２は底板を床面に設置した倒伏姿勢となり、蓋４６は掃入れ口４５から後上方へと外れると共に、本体４２の天板に形成されたストッパー用突起４９に係止されており、これによりハンドル４４は後傾姿勢に保持されている。ハンドル４４の水平面に対する傾斜角度θ１は、概ね７５°程度に設定されている。
【０００５】
【発明が解決しようとする課題】
図６及び図７の従来の蓋付きちり取りでは、グリップ４８がハンドル４４の軸芯線に対して直角に後方へと折れ曲がっているので、図６のようにハンドル４４のグリップ４８を持って吊り下げた状態で持ち運ぶ場合には、グリップ４８が水平姿勢となり、指でぶら下げやすく、手首等の疲れはあまり生じない。ところが図７のような作業時には、ハンドル４４が水平面に対して後方へθ１＝７５°程度傾斜した姿勢となることにより、グリップ４８は後下がり状の傾斜姿勢となる。このようにグリップ４８が後下がり姿勢になっていると、一方の手でグリップ４８を持ち、他方の手でほうきを持って前方のちりを掃き入れる作業を繰り返し行う場合、グリップ４８を持つ手の手首が疲れやすいことが、人間工学的に判明している。
【０００６】
また、本体４２にコの字形の回動金具４３を取り付け、該回動金具４３に対してさらに回動自在に蓋４６を取り付けているので、清掃後に持ち上げて蓋４６を閉じる時に「ガタン」という部品同士の不快な衝突音が生じ、また、吊り下げて持ち運ぶ時にも、本体４２や蓋４６が個々に揺れ動くことにより、ガチャガチャと不快な音が発生する。
【０００７】
【課題を解決するための手段】
前記課題を解決するため本願請求項１記載の発明による蓋付きちり取りは、底板と、左右側板と、天板と、奥板を一体に有し、掃入れ口が開口する本体と、掃入れ口を覆うと共に左右両側にアーム部を有し、該アーム部が本体側板に回動自在に連結された門形の蓋と、該蓋に固定されると共に一定長さ上方へと延び、上端部にＬ字形に折れ曲がるグリップを有するハンドルとを備え、ハンドルを吊り下げた時には、本体は掃入れ口を上側にした垂下姿勢となって蓋により掃入れ口が覆われ、本体を床面等に置いた時には、本体は底板が床面等に沿う倒伏姿勢となって掃入れ口が開口するようになっており、本体が倒伏姿勢の時に、蓋の端縁が本体に当接することによりハンドルを所定角度の後傾姿勢で係止するようにし、倒伏姿勢の本体によってハンドルが後傾姿勢で係止されている時に、グリップの上側面が水平姿勢かあるいはやや後上がり傾斜姿勢となるように、ハンドル軸芯線に対するグリップの折曲角度を設定している。
【０００８】
請求項２記載の発明は、請求項１記載の蓋付きちり取りにおいて、倒伏姿勢の本体によって蓋が係止されている時のハンドルの後傾角度が、水平面に対して８０°〜８８°になるようにしている。
【０００９】
請求項３記載の発明は、請求項１又は２記載の蓋付きちり取りにおいて、グリップの下側面の根元側部分を、ハンドルの軸芯線に対して概ね直角に形成し、ハンドル吊り下げ時に上記下側面の根本側部分が概ね水平になるようにしている。
【００１０】
請求項４記載の発明は、請求項１〜３のいずれかに記載の蓋付きちり取りにおいて、蓋のアーム部の内面に、柔軟性を有する緩衝部材を固着し、本体が垂下姿勢の時に緩衝部材に本体の側板が接触して本体を静止するようにしている。
【００１１】
請求項５記載の発明は、請求項１記載の蓋付きちり取りにおいて、蓋のアーム部の内面に、柔軟性を有する緩衝部材を固着し、本体が垂下姿勢の時に緩衝部材に本体の側板が接触して本体を静止するようにしていることを特徴としている。
【００１２】
【発明の実施の形態】
図１は本願発明を適用した蓋付きちり取りの作業時の状態を示す斜視図であり、ちり取りの本体１は、底板２と、左右の側板３と、天板４と、奥板５を一体に樹脂成形してなり、前端が掃入れ口６として開口している。蓋７は左右のアーム部８と共に樹脂により門形に一体成形されており、左右アーム部８の下端部は本体１の左右側板３に支持ピン１０を介して回動自在に連結されている。ハンドル１２は前後方向幅が短径となる断面楕円形のアルミパイプでできており、蓋７の上端部に形成された半割り円筒状の取付ボス部１５にボルト等により固着されて上方へと延びている。ハンドル１２の上端部には後方へとＬ字形に折れ曲がるグリップ１３が固着（嵌着）されている。グリップ１３の縦部分の下端部にはフォーク状の箒取付爪２５が一体に形成されており、また、折曲部分にはリング状の紐２６が固着されている。底板２の掃入れ口側の端縁には、ゴム製の舌状ブレード１６が取り付けられている。
【００１３】
図４は作業状態における前面図であり、蓋７の下端縁７ａは左右両端部に大きなＲ部が形成された形状となっており、本体１を倒伏姿勢まで回動した時に、蓋下端縁７ａの左右両端位置Ｐが、本体天板４の左右両端、言い換えれば両側板３の上端に当接し、係止されるようになっている。蓋７の裏面には左右方向に間隔をおいて複数本のリブ１７が形成されており、左右のアーム部８の内面には、弾性を有する緩衝部材、たとえばスポンジ２１が接着されている。
【００１４】
図２は作業状態の縦断面図を示しており、本体１は底板２が床面Ｆに載せられた倒伏姿勢となっており、ハンドル１２は後方に傾斜し、前述のように蓋下端縁７ａの左右端位置Ｐが本体天板４の左右端部に係止されることにより、後方傾斜角度θ２＝８０°〜８８°の範囲でハンドル１２は保持されている。該実施の形態では、人間工学的に最も好ましい角度８５°に保持されている。
【００１５】
グリップ１３は、上側面１３ａが側方から見て略直線状となるように形成されており、下側面１３ｂが側方から見て下方へ緩やかに膨らむ山形となるように形成されている。
【００１６】
ハンドル１２の軸芯線Ｏ１に対するグリップ上側面１３ａの角度θ３は９０°より大きく、図２のようにハンドル１２が後傾姿勢で係止された時に、グリップ上側面１３ａが水平姿勢かあるいはやや後上がり姿勢となるように設定されている。たとえば、作業状態でグリップ上側面１３ａが水平になるようにする場合には、前述のようにθ２が８０°〜８８°の範囲に設定されるのに対応して、θ２＋θ３＝１８０°となるように、θ３＝１００°〜９２°の範囲で設定されることになる。
【００１７】
また、グリップ上側面１３ａが作業状態で後上がり姿勢となるように設定する場合には、前述のようにハンドル傾斜角度θ２が８０°〜８８°の範囲に設定されるのに対応して、１８０°＜（θ２＋θ３）となるように、θ３は少なくとも９２°より大きく設定される。水平面に対するグリップ上側面１３ａの傾斜角度としては最大８°程度までが適当であり、この場合は１８０°＜（θ２＋θ３）≦１８０°＋８°となるように、θ３は設定される。ちなみに、該実施の形態ではθ２＝８５°、θ３＝１００°に設定しているので、作業状態におけるグリップ上側面１３ａは、水平面に対して５°の角度で後ろ上がりに傾斜している。
【００１８】
一方、ハンドル軸芯線Ｏ１に対するグリップ下側面１３ｂの根本側部分の角度θ４は直角に設定されている。また、グリップ１３の折曲部の内周面は、人差し指が引っ掛かる程度の凹部２２となっている。
【００１９】
作用を簡単にまとめてみる。清掃後に図３のようにハンドル１２を引き上げる場合、作業者はグリップ１３を握るのではなくて、通常は、片手をグリップ１３の下側面１３ｂに当てて持ち上げる場合が多く、具体的には人差指を下側面１３ｂの根本側部分に当てて持ち上げている。この時、グリップ下側面１３ｂの根本側部分が水平姿勢になっていると、ちり取り全体の吊り下げ状態が安定するので、持ち運び易く、ずり落ちたりしなくなる。
【００２０】
また、図３のような吊り下げ状態においては、垂下姿勢の本体１はアーム部８のスポンジ２１により弾性的に静止されており、これにより持ち運び中に本体１が揺れ動くことはなく、ガチャガチャという音もしない。
【００２１】
図２のように本体１を倒伏姿勢にして掃入れ作業をする場合には、グリップ１３を握って床面Ｆ上を動かす場合が多く、この時、当該実施の形態ではハンドル１２は水平面に対して８５°の角度で後傾し、グリップ上側面１３ａは水平面に対して５°の角度で後上がり状に傾斜している。掃入れ作業時、作業者は若干前屈み姿勢となり、一方の手でグリップ１３を握り、他方の手で箒を持って行うが、グリップ１３が若干後上がりに傾斜し、ハンドル１２が８５°程度で後方に傾いていると、手首が疲れ難い。
【００２２】
また図２のような作業状態において、蓋７は本体天板４の左右両端部、いいかえれば側板３の上端部によって係止されているので、たとえば天板４の左右幅の中間部分で係止されるような場合に比べ、天板４のたわみにより傾斜角度が変化するようなことはない。
【００２３】
【その他の実施の形態】
（１）ハンドル１２を後傾姿勢に係止するために、図４では蓋下端縁７ａの左右端部を本体天板４の左右端部によって係止するように構成しているが、蓋下端縁７ａの左右全幅が天板４に当接するように構成することもできる。
【００２４】
（２）緩衝部材２１の材料としては、軟質のゴム、軟質の樹脂、厚手の布あるいはパイル糸を植毛した絨毯の切れ端等、各種弾性的性質を有する材料を利用することができる。
【００２５】
【発明の効果】
以上説明したように本願発明によると、（１）本体側板３に回動自在に連結されるアーム部８を蓋７と一体に形成すると共に、該蓋７にハンドル１２を固定して、ハンドル１２と蓋７とアーム部８が本体１に対して一体的に回動するように構成しており、このように剛性を向上させた蓋７の下端縁７ａを本体１に直接係合することにより、作業状態においてハンドル１２を後傾姿勢に保持するようにしているので、しっかりと所定の角度で後傾姿勢を保持することができると共に、回動支持箇所及び部品点数を図６の従来例よりも減らすことができる。すなわち、図６の従来例のような単独の回動金具及びストッパー用突起が不要になると共に、回動連結機構も１つ減ることになる。
【００２６】
（２）しかも、倒伏姿勢の本体１によってハンドル１２が後傾姿勢で係止されている時に、グリップ１３の上側面１３ａが水平姿勢かあるいはやや後上がり傾斜姿勢となるように、ハンドル軸芯線Ｏ１に対するグリップ１３の折曲角度を設定していると、図７の従来例のようにグリップが後下がり姿勢となる構造に比べ、手首が疲れにくい。
【００２７】
（３）作業状態におけるハンドル後傾角度θ２を、８０°〜８８°とすると、従来の７５°程度の後傾に比べ、人間工学的に掃入れ作業がし易く、疲れにくいことが判明している。
【００２８】
（４）グリップ１３の下側面１３ｂの根元側部分を、ハンドル１２の軸芯線Ｏ１に対して概ね直角に形成し、ハンドル吊り下げ時に上記下側面１３ｂの根本側部分が概ね水平になるようにしていると、上記（２）のような作業時の利点を確保しながらも、吊り下げて持ち運ぶ時に、ずれ落ち難く、運び易い。
【００２９】
（５）蓋７とハンドル１２とアーム部８とを一体的に回動するようにしていることにより、持ち運び中のがたつき等を減らすことができ、しかも、これに加え、蓋７のアーム部８の内面に、柔軟性を有する緩衝部材２１を固着し、本体１が垂下姿勢の時に緩衝部材２１に本体側板３が接触して本体１を静止するようにしていると、持ち運び中のがたつきや音を一層減少させることができると共に、清掃後に持ち上げて蓋７を閉じる時にも、「バタン」というような不快な部品同士の衝突音がなくなる。
【図面の簡単な説明】
【図１】  本願発明を適用した蓋付きちり取りの作業状態の斜視図である。
【図２】  図１の蓋付きちり取りの作業状態の縦断側面図である。
【図３】  図１の蓋付きちり取りの吊り下げ状態の縦断側面図である。
【図４】  図２のIV−IV断面部分図である。
【図５】  図３のＶ矢視拡大部分図である。
【図６】  従来のちり取りの吊り下げ状態の側面図である。
【図７】  図６と同じちり取りの作業状態の側面図である。
【符号の説明】
１  本体
２  底板
３  側板
４  天板
５  奥板
７  蓋
７ａ  下端縁
８  アーム部
１２  ハンドル
１３  グリップ
１３ａ  上側面
１３ｂ  下側面
２１  スポンジ（緩衝部材）
【図１】
0003809011.tif 000002
【図２】
0003809011.tif 000003
【図３】
0003809011.tif 000004
【図４】
0003809011.tif 000005
【図５】
0003809011.tif 000006
【図６】
0003809011.tif 000007
【図７】
0003809011.tif 000008